(57)【要約】【課題】  デジタルコンテンツに対して効果的な著作権管理を行うことができるデジタルコンテンツ管理システム及びその方法を提供する。【解決手段】  個人安全情報５０１、暗号化デジタルコンテンツおよび暗号化対称鍵を有する電子ファイル５０２、情報管理ユニット５１０、そしてメディア放送モジュール５４０を備える。情報管理ユニット５１０は、個人安全情報５０１により暗号化対称鍵を復号化して対称鍵を得て、対称鍵により暗号化デジタルコンテンツを復号化してデジタルコンテンツを得る。メディア放送モジュール５４０は、復号化されたデジタルコンテンツを放送する。【選択図】      図５
2005044338.tif 000002
【特許請求の範囲】
【請求項１】
個人安全情報と、
暗号化デジタルコンテンツおよび暗号化対称鍵を有する電子ファイルと、
前記個人安全情報により前記暗号化対称鍵を復号化して対称鍵を得て、前記対称鍵により前記暗号化デジタルコンテンツを復号化してデジタルコンテンツを得る情報管理ユニットと、
前記デジタルコンテンツを放送するメディア放送モジュールと、
を備えることを特徴とするデジタルコンテンツ管理システム。
【請求項２】
前記情報管理ユニットは、前記対称鍵により前記暗号化デジタルコンテンツを復号化する際に、前記デジタルコンテンツに対応する発行者のデジタル署名をさらに得て、前記デジタルコンテンツに対応する第１ハッシュ値を計算し、前記発行者に対応する鍵を得て、前記鍵により前記デジタル署名を復号化して第２ハッシュ値を得て、前記第１ハッシュ値および前記第２ハッシュ値により前記デジタルコンテンツが修正されたかどうかを判断することを特徴とする請求項１記載のデジタルコンテンツ管理システム。
【請求項３】
前記デジタル署名は、前記発行者に対応する鍵および前記デジタルコンテンツに対応する前記第１ハッシュ値により製作されることを特徴とする請求項２記載のデジタルコンテンツ管理システム。
【請求項４】
前記発行者に対応する鍵は前記発行者に対応する証明を記録し、前記証明は前記発行者に対応する身分情報を記録することを特徴とする請求項２記載のデジタルコンテンツ管理システム。
【請求項５】
前記暗号化対称鍵は、前記デジタルコンテンツに対応する所有者の鍵を暗号化することを特徴とする請求項１記載のデジタルコンテンツ管理システム。
【請求項６】
前記暗号化デジタルコンテンツは、前記対称鍵により暗号化を行うことを特徴とする請求項１記載のデジタルコンテンツ管理システム。
【請求項７】
前記デジタルコンテンツを分析し、前記デジタルコンテンツに対応する著作権制御情報を得る情報分析ユニットをさらに備えることを特徴とする請求項１記載のデジタルコンテンツ管理システム。
【請求項８】
前記デジタルコンテンツは、複数個のファイル分割領域を有し、各前記ファイル分割領域は対応する前記著作権制御情報を有することを特徴とする請求項７記載のデジタルコンテンツ管理システム。
【請求項９】
前記著作権制御情報は、前記デジタルコンテンツに対応するライセンス期限を有することを特徴とする請求項７記載のデジタルコンテンツ管理システム。
【請求項１０】
前記著作権制御情報は、前記デジタルコンテンツに対応する印刷制限情報を有することを特徴とする請求項７記載のデジタルコンテンツ管理システム。
【請求項１１】
前記メディア放送モジュールは、さらに前記著作権制御情報により前記デジタルコンテンツを放送することを特徴とする請求項７記載のデジタルコンテンツ管理システム。
【請求項１２】
前記個人安全情報は、前記デジタルコンテンツに対応する前記所有者の鍵であることを特徴とする請求項５記載のデジタルコンテンツ管理システム。
【請求項１３】
前記個人安全情報および前記電子ファイルは、携帯式保存装置中へ保存されることを特徴とする請求項１記載のデジタルコンテンツ管理システム。
【請求項１４】
暗号化デジタルコンテンツおよび暗号化対称鍵を含む電子ファイルを準備するステップと、
個人安全情報により前記暗号化対称鍵を復号化して対称鍵を得るステップと、
前記対称鍵により前記暗号化デジタルコンテンツを復号化してデジタルコンテンツを得るステップと、
メディア放送モジュールが前記デジタルコンテンツを放送するステップと、
を含むことを特徴とするデジタルコンテンツ管理方法。
【請求項１５】
前記対称鍵により前記暗号化デジタルコンテンツを復号化するとき、前記デジタルコンテンツに対応する発行者のデジタル署名をさらに得るデジタルコンテンツ管理方法であって、
前記デジタルコンテンツに対応する第１ハッシュ値を計算するステップと、
前記発行者に対応する鍵を得るステップと、
前記鍵により前記デジタル署名を復号化して第２ハッシュ値を得るステップと、
前記第１ハッシュ値および前記第２ハッシュ値により、前記デジタルコンテンツが修正されたかどうかを判断するステップと、
を含むことを特徴とする請求項１４記載のデジタルコンテンツ管理方法。
【請求項１６】
前記デジタル署名を、前記発行者に対応する鍵および前記デジタルコンテンツに対応する前記第１ハッシュ値により製作することを特徴とする請求項１５記載のデジタルコンテンツ管理方法。
【請求項１７】
前記発行者の鍵が、前記発行者に対応する証明を記録し、前記証明が前記発行者に対応する身分情報を記録することを特徴とする請求項１５記載のデジタルコンテンツ管理方法。
【請求項１８】
前記暗号化対称鍵が、前記デジタルコンテンツに対応する所有者の鍵を暗号化することを特徴とする請求項１４記載のデジタルコンテンツ管理方法。
【請求項１９】
前記暗号化デジタルコンテンツが、前記対称鍵により暗号化をおこなうことを特徴とする請求項１４記載のデジタルコンテンツ管理方法。
【請求項２０】
前記デジタルコンテンツを分析し、前記デジタルコンテンツに対応する著作権制御情報を得るステップをさらに含むことを特徴とする請求項１４記載のデジタルコンテンツ管理方法。
【請求項２１】
前記デジタルコンテンツは、複数個のファイル分割領域を有し、各ファイル分割領域は対応する前記著作権制御情報を有することを特徴とする請求項２０記載のデジタルコンテンツ管理方法。
【請求項２２】
前記著作権制御情報は、前記デジタルコンテンツに対応するライセンス期限を有することを特徴とする請求項２０記載のデジタルコンテンツ管理方法。
【請求項２３】
前記著作権制御情報は、前記デジタルコンテンツに対応する印刷制限情報を有することを特徴とする請求項２０記載のデジタルコンテンツ管理方法。
【請求項２４】
前記メディア放送モジュールがさらに、前記著作権制御情報により前記デジタルコンテンツを放送することを特徴とする請求項２０記載のデジタルコンテンツ管理方法。
【請求項２５】
前記個人安全情報は、前記デジタルコンテンツに対応する前記所有者の鍵であることを特徴とする請求項１８記載のデジタルコンテンツ管理方法。
【請求項２６】
前記個人安全情報および前記電子ファイルを、携帯式保存装置中へ保存することを特徴とする請求項１４記載のデジタルコンテンツ管理方法。
【請求項２７】
デジタルコンテンツ応用プラットフォームに適用するデジタルコンテンツ応用方法であって、
デジタルコンテンツデジタル署名を行うステップと、
前記デジタル署名を有する前記デジタルコンテンツを、前記デジタルコンテンツ応用プラットフォームのデジタルコンテンツインターネットプラットフォームへ伝送するステップと、
前記デジタルコンテンツインターネットプラットフォームが、前記デジタルコンテンツを検証し、前記デジタルコンテンツに対応する発行者および完全性情報を判定するステップと、
前記デジタルコンテンツインターネットプラットフォームが、前記デジタルコンテンツをデジタルコンテンツファイルサーバに保存するステップと、
を含むことを特徴とするデジタルコンテンツ応用方法。
【請求項２８】
前記デジタルコンテンツ応用プラットフォームが、消費者による前記デジタルコンテンツの選択を受け付けるステップと、
前記デジタルコンテンツ応用プラットフォームが、前記デジタルコンテンツファイルサーバにより前記デジタルコンテンツを取得するステップと、
前記デジタルコンテンツ応用プラットフォームが、認証サーバにより前記消費者に対応する証明を取得するステップと、
前記デジタルコンテンツ応用プラットフォームが、前記デジタルコンテンツおよび前記証明を暗号化サーバへ伝送するステップと、
前記暗号化サーバが、対称鍵により前記デジタルコンテンツを暗号化し、暗号化デジタルコンテンツを得るステップと、
前記暗号化サーバは、前記証明により前記対称鍵を暗号化し、暗号化対称鍵を得るステップと、
前記デジタルコンテンツ応用プラットフォームは、前記暗号化デジタルコンテンツおよび前記暗号化対称鍵を結合して電子ファイルにし、前記電子ファイルを前記消費者へ伝送するステップと、
をさらに含むことを特徴とする請求項２７記載のデジタルコンテンツ応用方法。
【請求項２９】
前記デジタルコンテンツにデジタル署名を行うステップは、
前記デジタルコンテンツのハッシュ値を計算するステップと、
前記発行者に対応する鍵および前記ハッシュ値が、前記デジタル署名を製作するステップと、
を含むことを特徴とする請求項２７記載のデジタルコンテンツ応用方法。
【請求項３０】
前記デジタルコンテンツインターネットプラットフォームが前記デジタルコンテンツを検証するステップは、
前記デジタルコンテンツに対応する第１ハッシュ値を計算するステップと、
前記発行者に対応する鍵を得るステップと、
前記鍵で前記デジタル署名を復号化して第２ハッシュ値を得るステップと、
前記第１ハッシュ値および前記第２ハッシュ値により、前記デジタルコンテンツが修正されたかどうかを判断するステップと、
を含むことを特徴とする請求項２７記載のデジタルコンテンツ管理方法。
【請求項３１】
前記消費者に対応する鍵により、前記暗号化対称鍵を復号化して前記対称鍵を得るステップと、
前記対称鍵により前記暗号化デジタルコンテンツを復号化して前記デジタルコンテンツを得るステップと、
メディア放送モジュールにより前記デジタルコンテンツを放送するステップと、
をさらに含むことを特徴とする請求項２８記載のデジタルコンテンツ応用方法。
【請求項３２】
前記デジタルコンテンツを分析して、前記デジタルコンテンツに対応する著作権制御情報を得るステップと、
前記メディア放送モジュールは、前記著作権制御情報により前記デジタルコンテンツを放送するステップと、
をさらに含むことを特徴とする請求項３１記載のデジタルコンテンツ応用方法。
【請求項３３】
前記デジタルコンテンツは、複数個のファイル分割領域を有し、各前記ファイル分割領域は対応する前記著作権制御情報を有することを特徴とする請求項３２記載のデジタルコンテンツ応用方法。
【請求項３４】
前記著作権制御情報は、前記デジタルコンテンツに対応するライセンス期限を有することを特徴とする請求項３２記載のデジタルコンテンツ応用方法。
【請求項３５】
前記著作権制御情報は、前記デジタルコンテンツに対応する印刷制限情報を有することを特徴とする請求項３２記載のデジタルコンテンツ応用方法。
【発明の詳細な説明】
【技術分野】
【０００１】
本発明は、デジタルコンテンツに対し効果的な著作権管理を行うことができるデジタルコンテンツ管理システム、その管理方法及び応用方法に関する。
【背景技術】
【０００２】
コンピュータとインターネットの普及に伴い、人々の生活形態には非常に大きな変化が起きている。例を挙げると、デジタルコンテンツの作成および管理が従来のデータ記録形態に取って代わり、インターネットは人々が資料を収集する際に最適の手段となっており、さらにはインターネットによる、ショッピングや関連情報およびファイルなどのダウンロードといった商取引も行われている。同時に、データ記録および伝達形態の変化に伴い、電子書籍および映像ファイルなどといったデータのデジタルコンテンツも、生活の重要な伝達方式の一つとなっている。
【０００３】
従来、デジタルコンテンツに対して著作権管理を行うには、デジタルコンテンツを暗号化してから購買者へ与え、例えばパスワードまたはプライベート鍵（Private Key）などといった安全情報により復号化し、元のデジタルコンテンツを取得して解析を行っていた。従来の方法では、デジタルコンテンツがコンピュータ中に保存されるため、安全情報はＩＣカードまたはコンピュータ中に保存され、ユーザがデジタルコンテンツを解析したいとき、デジタルコンテンツが保存されたコンピュータ中へ必ず安全情報を入力し、復号化能力を有するコンピュータによりデジタルコンテンツを解析しなければならなかった。そして、ユーザが異なるコンピュータを解析したいとき、安全情報およびデジタルコンテンツをコンピュータ中へ複製し、コンピュータ中に復号化ソフトウェアをインストールして解析を行っていた。
【０００４】
電子デジタルコンテンツの容易な複製性および効果的な制御システムの不足により、デジタルコンテンツは簡単に複製および盗用がされ、デジタルコンテンツの著作権管理は困難だった。そして、このため、デジタルコンテンツ産業および市場の発展と成長が妨げられていた。
【発明の開示】
【発明が解決しようとする課題】
【０００５】
本発明の主な目的は、デジタルコンテンツに対して効果的な著作権管理を行うことができるデジタルコンテンツ管理システム及びその管理方法を提供することにある。
本発明のもう一つの目的は、インターネットにおいてデジタルコンテンツに応用するデジタルコンテンツ応用方法を提供することにある。
【課題を解決するための手段】
【０００６】
上述した目的を達成するために、本発明のデジタルコンテンツ管理システム、デジタルコンテンツ管理方法及びデジタルコンテンツ応用方法を提供する。本発明の一実施例のデジタルコンテンツ管理システムは、個人安全情報と、暗号化デジタルコンテンツおよび暗号化対称鍵を有する電子ファイルと、情報管理ユニットと、メディア放送モジュールとを備える。情報管理ユニットは、個人安全情報により暗号化対称鍵を復号化して対称鍵を得て、対称鍵により暗号化デジタルコンテンツを復号化してデジタルコンテンツを得る。そしてメディア放送モジュールは、復号化されたデジタルコンテンツを放送する。
【０００７】
情報管理ユニットは、対称鍵により暗号化デジタルコンテンツを復号化するとき、デジタルコンテンツに対応する発行者のデジタル署名をさらに得て、情報管理ユニットがデジタルコンテンツに対応する第１ハッシュ値をさらに計算するとともに、発行者に対応する鍵を得て、鍵でデジタル署名を復号化して第２ハッシュ値を得て、第１ハッシュ値および第２ハッシュ値によりデジタルコンテンツが修正されたかどうかを判断する。
【０００８】
デジタルコンテンツ管理システムは、デジタルコンテンツを分析する情報分析ユニットをさらに備える。デジタルコンテンツは、複数個のファイル分割領域を有し、各ファイル分割領域は対応する著作権制御情報を有し、メディア放送モジュールは、著作権制御情報によりデジタルコンテンツを放送する。
【０００９】
個人安全情報および電子ファイルは、携帯式保存装置中に保存することが最も好ましい。
【００１０】
本発明の一実施例によるデジタルコンテンツ応用の一例と応用方法によると、デジタルコンテンツにデジタル署名し、デジタル署名を有するデジタルコンテンツをインターネット上にあるデジタルコンテンツ応用プラットフォームのデジタルコンテンツインターネットプラットフォームへ伝送する。その後、デジタルコンテンツインターネットプラットフォームはデジタルコンテンツを検証し、デジタルコンテンツに対応する発明者および完全な情報を判定する。その後、デジタルコンテンツインターネットプラットフォームは、デジタルコンテンツをデジタルコンテンツファイルサーバへ保存する。
【００１１】
消費者がデジタルコンテンツを購買したいとき、デジタルコンテンツ応用プラットフォームが消費者によるデジタルコンテンツの選択を受け付ける。その後、デジタルコンテンツ応用プラットフォームは、デジタルコンテンツファイルサーバによりデジタルコンテンツを取得し、認証サーバにより消費者に対応する証明を取得する。その後、デジタルコンテンツ応用プラットフォームは、デジタルコンテンツおよび証明を暗号化サーバへ伝送する。暗号化サーバは、対称鍵によりデジタルコンテンツを暗号化して暗号化デジタルコンテンツを得て、証明をもとに対称鍵を暗号化し、暗号化対称鍵を得る。最後に、デジタルコンテンツ応用プラットフォームは、暗号化デジタルコンテンツおよび暗号化対称鍵を結合して電子ファイルにし、それを消費者へ伝送する。
【発明の効果】
【００１２】
本発明により、デジタルコンテンツに対して効果的な著作権管理を行うことができる。また伝送過程において、発行者の身分が確認されるため、デジタルコンテンツの内容が改ざんされたり、所有者以外の者により解析されたりするのを防止できる。
【発明を実施するための最良の形態】
【００１３】
図１は、本発明の一実施例によるデジタルコンテンツの応用環境を示す。図示するように、デジタルコンテンツの応用環境は、消費者１１０およびデジタルコンテンツの発行者１２０を含み、インターネット１３０を介してデジタルコンテンツ応用プラットフォーム１００に接続する。ここで注意が必要なのは、デジタルコンテンツは電子書類、又は映像ファイルなどのデジタル電子データでもよいことである。
【００１４】
デジタルコンテンツ応用プラットフォーム１００は、プラットフォームにより消費者１１０および発行者１２０へデジタルコンテンツの応用を提供する。デジタルコンテンツ応用プラットフォーム１００は、デジタルコンテンツインターネットプラットフォーム１０１、デジタルコンテンツファイルサーバ１０２、認証サーバ１０３および暗号化サーバ１０４を備える。各ユニットの詳細な操作は、後で説明する。ここで注意しなければならないことは、本実施例は鍵基礎構造を構築し、各デジタルコンテンツの発行者、代理人および所有者に対して証明を与えることである。発行者はこの証明を利用して、ファイルにデジタル署名するとともに、デジタルコンテンツを所有する者の証明を用いて暗号化し、他人に解析されることを防止する。ここで、全ての証明情報は、認証サーバ１０３中に記録することができる。
【００１５】
図２は、本発明の一実施例において、発行者１２０がデジタルコンテンツに対するデジタル署名の実施を示す流れ図である。発行者１２０は、デジタルコンテンツを取得した後、ステップＳ２０１において、ハッシュ関数（Hash Function）により、デジタルコンテンツのハッシュ関数を計算する。その後、発行者１２０のプライベート鍵を取得し、ステップＳ２０２において、発行者１２０のプライベート鍵およびデジタルコンテンツのハッシュ値によりデジタル署名を製作し、デジタル署名を有するデジタルコンテンツを完成させる。ここで注意しなければならないことは、本実施例のデジタル署名は、非対称鍵の技術を利用することにより、デジタルコンテンツの完全性、不可否認性および鑑定性を確保することである。
【００１６】
発行者１２０は、デジタルコンテンツに対してデジタル署名した後、発行者１２０はデジタルコンテンツ応用プラットフォーム１００へログインし、デジタル署名を有するデジタルコンテンツを、デジタルコンテンツ応用プラットフォーム１００内のデジタルコンテンツインターネットプラットフォーム１０１中へ伝送する。
【００１７】
図３は、本発明の一実施例において、デジタルコンテンツインターネットプラットフォーム１０１がデジタルコンテンツの発行者の身分および完全性を検証する流れ図である。デジタルコンテンツインターネットプラットフォーム１０１がデジタルコンテンツを受信すると、ステップＳ３０１において、ハッシュ関数により直接にデジタルコンテンツの第１ハッシュ値を計算する。続いて、ステップＳ３０２において、デジタルコンテンツインターネットプラットフォーム１０１がデジタルコンテンツの証明を取得し、その証明内に記載された発行者１２０の身分情報により発行者の身分を確認する。その後、デジタルコンテンツインターネットプラットフォーム１０１が証明内の発行者１２０に対応する鍵を取得し、ステップＳ３０３において、発行者１２０の鍵により、デジタルコンテンツに対応するデジタル署名を復号化し、第２ハッシュ値を得る。
【００１８】
その後、ステップＳ３０４において、デジタルコンテンツインターネットプラットフォーム１０１は、第１ハッシュ値と第２ハッシュ値とを比較する。第１ハッシュ値と第２ハッシュ値とが異なるとき（ステップＳ３０４のＮｏ）、ステップＳ３０５において、デジタルコンテンツはすでに修正されたことを示す（完全性がない）。第１ハッシュ値と第２ハッシュ値とが同じとき（ステップＳ３０４のＹｅｓ）、ステップＳ３０６において、このデジタルコンテンツは完全であることを示す。従って、デジタルコンテンツインターネットプラットフォーム１０１は、このデジタルコンテンツをデジタルコンテンツファイルサーバ１０２中へ保存することができる。
【００１９】
上述したように、デジタルコンテンツは所有者の証明により暗号化でき、他人による解析または盗用を防止することができる。従って、消費者１１０は、デジタルコンテンツ応用プラットフォーム１００において、購買してダウンロードしたいデジタルコンテンツを選択した後、デジタルコンテンツ応用プラットフォーム１００は、デジタルコンテンツファイルサーバ１０２により指定のデジタルコンテンツを取得し、認証サーバ１０３は消費者１１０に対応する証明を取得する。その後、デジタルコンテンツ応用プラットフォーム１００は、デジタルコンテンツおよび証明を暗号化サーバ１０４へ伝送し、関連する暗号化の作業を行う。
【００２０】
図４は、本発明の一実施例による、暗号化サーバ１０４がデジタルコンテンツを暗号化する流れ図である。先ず、ステップＳ４０１において、暗号化サーバ１０４はランダム方式により対称鍵を生成し、ステップＳ４０２において、この対称鍵はデジタルコンテンツを暗号化して暗号化デジタルコンテンツを生成する。その後、ステップＳ４０３において、暗号化サーバ１０４は消費者１１０に対応する鍵を取得し、ステップＳ４０４において、消費者１１０の鍵により対称鍵を暗号化し、暗号化対称鍵を得る。最後に、ステップＳ４０５において、暗号化サーバ１０４は暗号化デジタルコンテンツおよび暗号化対称鍵を結合して電子ファイルにする。
【００２１】
暗号化サーバ１０４が暗号化作業を完了し、対応する電子ファイルを生成すると、デジタルコンテンツ応用プラットフォーム１００は、この電子ファイルを消費者１１０へ伝送する。ここで注意しなければならないことは、デジタルコンテンツ応用プラットフォーム１００は、消費者１１０によりデジタルコンテンツの購買状況に対し、著作権制御情報を生成することである。この著作権制御情報は、デジタルコンテンツに対応するライセンス期限、印刷制限情報、発行者情報、デジタル署名などを含む。これ以外に、デジタルコンテンツは複数個のファイル分割領域に分けることができ、各ファイル分割領域は対応する著作権制御情報により、ファイル分割領域内のデジタルコンテンツの放送著作権を制御する。この他、デジタルコンテンツ応用プラットフォーム１００は、著作権制御情報を暗号化デジタルコンテンツ中へ結合することができる。ある状況においては、著作権制御情報は拡張可能マークアップ言語（Extensible Markup Language：ＸＭＬ）により表されてもよい。他にデジタルコンテンツ応用プラットフォーム１００は、消費者１１０がデジタルコンテンツを購買する行為には、対応する費用計算および費用請求システムも含まれるが、それは本発明の主要特徴ではないため、ここでは省略する。
【００２２】
図５は、本発明の一実施例による、消費者エンドのデジタルコンテンツ管理システムのシステム構造を示すブロック図である。図示するように、本発明の一実施例によるデジタルコンテンツ管理システムは、保存部５００、情報管理ユニット５１０、暗復号化機能モジュール５２０、情報分析ユニット５３０およびメディア放送モジュール５４０を備える。
【００２３】
保存部５００中には、プライベート鍵などの消費者１１０の個人安全情報５０１と、暗号化デジタルコンテンツおよび暗号化対称鍵を含む電子ファイル５０２とが保存される。電子ファイル５０２は、デジタルコンテンツ応用プラットフォーム１００により購買およびダウンロードされる。情報管理ユニット５１０は、暗号化デジタルコンテンツを復号化してデジタルコンテンツを還元するが、その操作の詳細は後で説明する。暗復号化機能モジュール５２０は、対称式および非対称式の鍵の暗号化／復号化および署名／検証といった機能である暗号化学演算の応用プログラムを提供することができる。情報分析ユニット５３０は、デジタルコンテンツに対し解析を行い、対応するデジタルコンテンツおよび著作権制御情報を得る。メディア放送モジュール５４０は、文字リーダ、ビデオ機器またはあらゆるメディア解析機により、デジタルコンテンツを放送することができる。
【００２４】
図６は、本発明の一実施例による、デジタルコンテンツ復号化および放送の流れ図である。消費者１１０（デジタルコンテンツの所有者）がデジタルコンテンツを読込みたいとき、ステップＳ６０１において、情報管理ユニット５１０は、保存部５００から消費者１１０に対応する鍵（個人安全情報５０１）を取得し、ステップＳ６０２において、情報管理ユニット５１０は暗復号化機能モジュール５２０が提供する機能により、消費者１１０の鍵を利用して、暗号化対称鍵で復号化を行い、対称鍵を得る。
【００２５】
続いて、ステップＳ６０３において、情報管理ユニット５１０が対称鍵を利用して、暗号化デジタルコンテンツを復号化し、復号化されたデジタルコンテンツを得る。その後、ステップＳ６０４において、情報分析ユニット５３０はデジタルコンテンツを分析し、対応するデジタルコンテンツの著作権制御情報を得る。その後、ステップＳ６０５において、メディア放送モジュール５４０が著作権制御情報により復号化されたデジタルコンテンツを放送することができる。ここで注意しなければならないことは、情報管理ユニット５１０もデジタルコンテンツを検証することができる。つまりデジタルコンテンツの発行者身分および完全性が検証できるということであり、図３はその方法を示す。
【００２６】
特に注意が必要なことは、デジタルコンテンツの著作権管理および著作権管理の有効性を高めるために、消費者の個人安全情報、メディア放送モジュールおよび電子ファイルが、コンパクトフラッシュ（登録商標）カードなどの携帯式保存装置に保存できるということである。この技術の助けにより、デジタルコンテンツの所有者は、いつでもこの携帯式保存装置を携帯し、どのコンピュータでもデジタルコンテンツの解析および読取りを行うことができる。
【００２７】
本発明を実施するための最良の形態を前述の通り開示したが、これらは決して本発明を限定するものではなく、当該技術を熟知するものなら誰でも、本発明の主旨と領域を脱しない範囲内で各種の変更を加えることができる。従って本発明の保護の範囲は、特許請求の範囲で指定した内容を基準とする。
【図面の簡単な説明】
【００２８】
【図１】本発明の一実施例によるデジタルコンテンツの応用環境を示すブロック図である。
【図２】本発明の一実施例によるデジタルコンテンツのデジタル署名を示す流れ図である。
【図３】本発明の一実施例によるデジタルコンテンツの発行者の身分および完全性を検証する流れ図である。
【図４】本発明の一実施例によるデジタルコンテンツの暗号化を示す流れ図である。
【図５】本発明の一実施例によるデジタルコンテンツ管理システムのシステム構造を示すブロック図である。
【図６】本発明の一実施例によるデジタルコンテンツの復号化および放送を示す流れ図である。
【符号の説明】
【００２９】
１００…デジタルコンテンツ応用プラットフォーム、１０１…デジタルコンテンツインターネットプラットフォーム１０２…デジタルコンテンツファイルサーバ、１０３…認証サーバ、１０４…暗号化サーバ、１１０…消費者、１２０…発行者、１３０…インターネット、Ｓ２０１、Ｓ２０２…操作ステップ、Ｓ３０１〜Ｓ３０６…操作ステップ、Ｓ４０１〜Ｓ４０５…操作ステップ、５００…保存部、５０１…個人安全情報、５０２…電子ファイル、５１０…情報管理ユニット、５２０…暗復号化機能モジュール、５３０…情報分析ユニット、５４０…メディア放送モジュール、Ｓ６０１〜Ｓ６０５…操作ステップ
【図１】
2005044338.tif 000003
【図２】
2005044338.tif 000004
【図３】
2005044338.tif 000005
【図４】
2005044338.tif 000006
【図５】
2005044338.tif 000007
【図６】
2005044338.tif 000008